(57)【要約】【課題】ユーザの感じる体感起動時間を短縮する。【解決手段】電源制御部１１１乃至初期化部１１４は、テレビジョン受像機５２の起動の操作をしようとするユーザの予備動作をトリガとして、起動に必要な処理のうちの一部である一部処理（電源回路９３の初期化や各部への通電、表示デバイスの初期化など）を実行し、表示制御部１１５は、テレビジョン受像機５２を起動するユーザの起動操作をトリガとして、起動に必要な処理の残りである残処理（映像の表示）を実行する。本発明は、例えば、リモートコントローラとテレビジョン受像機とからなるテレビジョンシステムに適用することができる。【選択図】図５
2009094840.tif 000002
【特許請求の範囲】
【請求項１】
ユーザの操作をトリガとして、起動に必要な処理を実行する電子機器において、
前記電子機器の起動の操作をしようとする前記ユーザの予備動作をトリガとして、前記起動に必要な処理のうちの一部である一部処理を実行する第１の実行手段と、
前記電子機器を起動する前記ユーザの起動操作をトリガとして、前記起動に必要な処理の残りである残処理を実行する第２の実行手段と
を備える電子機器。
【請求項２】
前記第１の実行手段は、前記電子機器を遠隔制御するリモートコントローラによって、前記電子機器の起動の操作をしようとする前記ユーザの予備動作をトリガとして、前記一部処理を実行し、
前記第２の実行手段は、前記ユーザによる前記電子機器を起動する前記リモートコントローラの起動操作をトリガとして、前記残処理を実行する
請求項１に記載の電子機器。
【請求項３】
前記リモートコントローラは、前記予備動作を検出する検出手段を有する
請求項２に記載の電子機器。
【請求項４】
前記検出手段は、所定値以上の加速度、または、前記ユーザが接近したことを、前記予備動作として検出する
請求項３に記載の電子機器。
【請求項５】
前記予備動作を検出する検出手段をさらに備える
請求項１に記載の電子機器。
【請求項６】
前記検出手段は、前記ユーザが接近したことを、前記予備動作として検出する
請求項５に記載の電子機器。
【請求項７】
ユーザの操作をトリガとして、起動に必要な処理を実行する電子機器の起動方法において、
前記電子機器の起動の操作をしようとする前記ユーザの予備動作をトリガとして、前記起動に必要な処理のうちの一部である一部処理を実行し、
前記電子機器を起動する前記ユーザの起動操作をトリガとして、前記起動に必要な処理の残りである残処理を実行する
ステップを含む起動方法。
【請求項８】
ユーザの操作をトリガとして、起動に必要な処理を実行する電子機器として、コンピュータを機能させるプログラムにおいて、
前記電子機器の起動の操作をしようとする前記ユーザの予備動作をトリガとして、前記起動に必要な処理のうちの一部である一部処理を実行する第１の実行手段と、
前記電子機器を起動する前記ユーザの起動操作をトリガとして、前記起動に必要な処理の残りである残処理を実行する第２の実行手段
として、コンピュータを機能させるプログラム。
【請求項９】
電子機器を遠隔制御するリモートコントローラにおいて、
前記電子機器の起動を操作しようとするユーザの予備動作を検出する検出手段と、
前記電子機器を起動するときに操作される操作手段と
を備え、
前記電子機器は、
前記予備動作をトリガとして、起動に必要な処理のうちの一部である一部処理を実行し、
前記ユーザによる前記電子機器を起動する前記操作手段の起動操作をトリガとして、前記起動に必要な処理の残りである残処理を実行する
リモートコントローラ。
【請求項１０】
前記検出手段は、所定値以上の加速度、または、前記ユーザが接近したことを、前記予備動作として検出する
請求項９に記載のリモートコントローラ。
【請求項１１】
電子機器を遠隔制御するリモートコントローラと、前記電子機器とを備える電子機器システムにおいて、
前記リモートコントローラ、または、前記電子機器は、前記電子機器の起動の操作をしようとするユーザの予備動作を検出する検出手段を有し、
前記リモートコントローラは、前記電子機器を起動するときに操作される操作手段を有し、
前記電子機器は、
前記予備動作をトリガとして、起動に必要な処理のうちの一部である一部処理を実行する第１の実行手段と、
前記ユーザによる前記電子機器を起動する前記操作手段の起動操作をトリガとして、前記起動に必要な処理の残りである残処理を実行する第２の実行手段と
を有する
電子機器システム。
【発明の詳細な説明】
【技術分野】
【０００１】
本発明は、電子機器および起動方法、プログラム、リモートコントローラ、並びに電子機器システムに関し、特に、例えば、ユーザが感じる体感起動時間を短縮することができるようにする電子機器および起動方法、プログラム、リモートコントローラ、並びに電子機器システムに関する。
【背景技術】
【０００２】
従来、テレビジョン受像機は、その筐体に設けられている電源スイッチ、または、テレビジョン受像機を遠隔制御するリモートコントローラの電源ボタンが操作されることをトリガとして起動する。
【０００３】
ここで、図１および図２を用いて、従来のテレビジョン受像機の起動について説明する。なお、ここでは、テレビジョン受像機は、ユーザによって、リモートコントローラの電源ボタンが操作されたときに起動するものとする。
【０００４】
図１は、従来のテレビジョン受像機の構成例を示すブロック図である。
【０００５】
図１のテレビジョン受像機１１は、図示せぬアンテナにより放送信号を受信し、その放送信号を復号して得られる映像信号に応じた映像を、後述する表示部３３に表示させるとともに、音声信号に応じた音声を、図示せぬスピーカに出力させる。これにより、ユーザは、表示部３３の画面に表示される映像と、図示せぬスピーカから出力される音声とを視聴することができる。
【０００６】
また、テレビジョン受像機１１は、図示せぬリモートコントローラから送信されてくる、テレビジョン受像機１１を制御するための制御信号（以下、適宜、コマンドという）を受信し、受信したコマンドに応じて、所定の処理を実行する。
【０００７】
図１において、テレビジョン受像機１１は、受信部３１、システム制御部３２、および表示部３３から構成される。
【０００８】
受信部３１は、図示せぬリモートコントローラから送信されてくる、ユーザによる電源ボタンの操作に応じたコマンドである操作起動コマンドを受信し、システム制御部３２に供給する。
【０００９】
システム制御部３２は、テレビジョン受像機１１の全体の動作を制御する。
【００１０】
より具体的には、システム制御部３２は、受信部３１から供給された操作起動コマンドに基づいて、図示せぬ電源回路の初期化を行い、テレビジョン受像機１１全体の通電を開始させる。また、システム制御部３２は、図示せぬマイクロコンピュータを初期化し、起動して、図示せぬマイクロコンピュータに、テレビジョン受像機１１の各部を起動させる。さらに、システム制御部３２は、前回、テレビジョン受像機１１の電源がオフにされる直前に選局されていたチャンネルを、図示せぬチューナに選局させる。
【００１１】
例えば、システム制御部３２は、表示部３３を構成する表示デバイスの初期化を行い、図示せぬチューナにチャンネルを選局させ、図示せぬアンテナによって受信された放送信号から得られる映像信号に対応する映像を、表示部３３に表示させるとともに、放送信号から得られる音声信号に対応する音声を、図示せぬスピーカに出力させる。
【００１２】
図２は、図１のテレビジョン受像機１１の起動処理を説明するフローチャートである。
【００１３】
ユーザがリモートコントローラの電源ボタンを操作すると、リモートコントローラから、ユーザによる電源ボタンの操作に応じた操作起動コマンドが送信される。なお、このとき、テレビジョン受像機１１の電源は、オフにされている状態であるものとする。
【００１４】
ステップＳ１１において、受信部３１は、操作起動コマンドを受信したかを判定する。操作起動コマンドを受信していないと判定された場合、操作起動コマンドを受信したと判定されるまで、ステップＳ１１の処理を繰り返す。
【００１５】
一方、操作起動コマンドを受信したと判定された場合、受信部３１は、操作起動コマンドをシステム制御部３２に供給し、処理はステップＳ１２に進む。
【００１６】
ステップＳ１２において、システム制御部３２は、図示せぬ電源回路の初期化を行い、処理はステップＳ１３に進む。
【００１７】
ステップＳ１３において、システム制御部３２は、図示せぬ電源回路に、テレビジョン受像機１１全体に通電させ、処理はステップＳ１４に進む。
【００１８】
ステップＳ１４において、システム制御部３２は、図示せぬマイクロコンピュータを初期化し、起動して、図示せぬマイクロコンピュータに、テレビジョン受像機１１の各部を起動させて、処理はステップＳ１５に進む。
【００１９】
ステップＳ１５において、システム制御部３２は、前回、テレビジョン受像機１１の電源がオフにされる直前に選局されていたチャンネルを、図示せぬチューナに選局させ、処理はステップＳ１６に進む。
【００２０】
ステップＳ１６において、システム制御部３２は、表示部３３を構成する表示デバイスの初期化を行い、処理はステップＳ１７に進む。
【００２１】
ステップＳ１７において、システム制御部３２は、図示せぬチューナにチャンネルを選局させ、図示せぬアンテナによって受信された放送信号から得られる映像信号に対応する映像を、表示部３３に表示させる。また、システム制御部３２は、放送信号から得られる音声信号に対応する音声を、図示せぬスピーカに出力させる。ここで、テレビジョン受像機１１の起動処理は終了する。
【００２２】
このように、テレビジョン受像機１１において、電源がオフにされている状態、すなわちテレビジョン受像機１１の各部が通電されていない状態から、起動のトリガによって起動処理が行われるが、ユーザがリモートコントローラの電源ボタンを操作してから、表示部３３に映像が表示されるまでには、所定の時間（待ち時間）を要する。
【００２３】
そこで、このような待ち時間の間に、番組情報サーバに番組情報取得要求を発行し、番組情報サーバから番組表データを取得し、取得した番組表データを表示することで、映像が表示されるまでの待ち時間を有効に活用するようにした携帯端末装置がある（例えば、特許文献１参照）。
【００２４】
【特許文献１】特開２００６−１０１０７８号公報
【発明の開示】
【発明が解決しようとする課題】
【００２５】
しかしながら、特許文献１の携帯端末装置においては、ユーザが電源スイッチや電源ボタンを操作してから、映像が表示されるまでの時間が短縮されるわけではない。
【００２６】
本発明は、このような状況に鑑みてなされたものであり、ユーザが感じる体感起動時間を短縮することができるようにするものである。
【課題を解決するための手段】
【００２７】
本発明の第１の側面の電子機器、またはプログラムは、ユーザの操作をトリガとして、起動に必要な処理を実行する電子機器であって、前記電子機器の起動の操作をしようとする前記ユーザの予備動作をトリガとして、前記起動に必要な処理のうちの一部である一部処理を実行する第１の実行手段と、前記電子機器を起動する前記ユーザの起動操作をトリガとして、前記起動に必要な処理の残りである残処理を実行する第２の実行手段とを備える電子機器、または電子機器としてコンピュータを機能させるプログラムである。
【００２８】
前記第１の実行手段には、前記電子機器を遠隔制御するリモートコントローラによって、前記電子機器の起動の操作をしようとする前記ユーザの予備動作をトリガとして、前記一部処理を実行させ、前記第２の実行手段には、前記ユーザによる前記電子機器を起動する前記リモートコントローラの起動操作をトリガとして、前記残処理を実行させることができる。
【００２９】
前記リモートコントローラには、前記予備動作を検出する検出手段を設けることができる。
【００３０】
前記検出手段には、所定値以上の加速度、または、前記ユーザが接近したことを、前記予備動作として検出させることができる。
【００３１】
前記電子機器には、前記予備動作を検出する検出手段をさらに設けることができる。
【００３２】
前記検出手段には、前記ユーザが接近したことを、前記予備動作として検出させることができる。
【００３３】
本発明の第１の側面の起動方法は、ユーザの操作をトリガとして、起動に必要な処理を実行する電子機器の起動方法であって、前記電子機器の起動の操作をしようとする前記ユーザの予備動作をトリガとして、前記起動に必要な処理のうちの一部である一部処理を実行し、前記電子機器を起動する前記ユーザの起動操作をトリガとして、前記起動に必要な処理の残りである残処理を実行する。
【００３４】
本発明の第２の側面のリモートコントローラは、電子機器を遠隔制御するリモートコントローラであって、前記電子機器の起動を操作しようとするユーザの予備動作を検出する検出手段と、前記電子機器を起動するときに操作される操作手段とを備え、前記電子機器は、前記予備動作をトリガとして、起動に必要な処理のうちの一部である一部処理を実行し、前記ユーザによる前記電子機器を起動する前記操作手段の起動操作をトリガとして、前記起動に必要な処理の残りである残処理を実行する。
【００３５】
前記検出手段には、所定値以上の加速度、または、前記ユーザが接近したことを、前記予備動作として検出させることができる。
【００３６】
本発明の第３の側面の電子機器システムは、電子機器を遠隔制御するリモートコントローラ（例えば、図３のリモートコントローラ５１）と、前記電子機器（例えば、図３のテレビジョン受像機５２）とを備える電子機器システムであって、前記リモートコントローラ、または、前記電子機器は、前記電子機器の起動の操作をしようとするユーザの予備動作を検出する検出手段を有し、前記リモートコントローラは、前記電子機器を起動するときに操作される操作手段を有し、前記電子機器は、前記予備動作をトリガとして、起動に必要な処理のうちの一部である一部処理を実行する第１の実行手段と、前記ユーザによる前記電子機器を起動する前記操作手段の起動操作をトリガとして、前記起動に必要な処理の残りである残処理を実行する第２の実行手段とを有する。
【００３７】
本発明の第１の側面においては、電子機器の起動の操作をしようとするユーザの予備動作をトリガとして、起動に必要な処理のうちの一部である一部処理が実行され、電子機器を起動するユーザの起動操作をトリガとして、起動に必要な処理の残りである残処理が実行される。
【００３８】
本発明の第２の側面においては、電子機器の起動を操作しようとするユーザの予備動作が検出され、操作手段が電子機器を起動するときに操作され、電子機器においては、予備動作をトリガとして、起動に必要な処理のうちの一部である一部処理が実行され、ユーザによる電子機器を起動する操作手段の起動操作をトリガとして、起動に必要な処理の残りである残処理が実行される。
【００３９】
本発明の第３の側面においては、電子機器の起動の操作をしようとするユーザの予備動作が検出され、操作手段が電子機器を起動するときに操作される。そして、予備動作をトリガとして、起動に必要な処理のうちの一部である一部処理が実行され、ユーザによる電子機器を起動する操作手段の起動操作をトリガとして、起動に必要な処理の残りである残処理が実行される。
【発明の効果】
【００４０】
本発明の第１乃至第３の側面によれば、ユーザが感じる体感起動時間を短縮することができる。
【発明を実施するための最良の形態】
【００４１】
以下に本発明の実施の形態を説明するが、本発明の構成要件と、明細書又は図面に記載の実施の形態との対応関係を例示すると、次のようになる。この記載は、本発明をサポートする実施の形態が、明細書又は図面に記載されていることを確認するためのものである。従って、明細書又は図面中には記載されているが、本発明の構成要件に対応する実施の形態として、ここには記載されていない実施の形態があったとしても、そのことは、その実施の形態が、その構成要件に対応するものではないことを意味するものではない。逆に、実施の形態が構成要件に対応するものとしてここに記載されていたとしても、そのことは、その実施の形態が、その構成要件以外の構成要件には対応しないものであることを意味するものでもない。
【００４２】
本発明の第１の側面の電子機器、またはプログラムは、ユーザの操作をトリガとして、起動に必要な処理を実行する電子機器であって、前記電子機器の起動の操作をしようとする前記ユーザの予備動作をトリガとして、前記起動に必要な処理のうちの一部である一部処理を実行する第１の実行手段（例えば、図５の電源制御部１１１乃至初期化部１１４）と、前記電子機器を起動する前記ユーザの起動操作をトリガとして、前記起動に必要な処理の残りである残処理を実行する第２の実行手段（例えば、図５の表示制御部１１５）とを備える電子機器（例えば、図３のテレビジョン受像機５２）、または電子機器としてコンピュータを機能させるプログラムである。
【００４３】
前記第１の実行手段には、前記電子機器を遠隔制御するリモートコントローラによって、前記電子機器の起動の操作をしようとする前記ユーザの予備動作をトリガとして、前記一部処理を実行させ（例えば、図７のステップＳ７２乃至ステップＳ７６）、前記第２の実行手段には、前記ユーザによる前記電子機器を起動する前記リモートコントローラの起動操作をトリガとして、前記残処理を実行させることができる（例えば、図７のステップＳ８０）。
【００４４】
前記リモートコントローラには、前記予備動作を検出する検出手段（例えば、図４の加速度センサ７１または図９の物体センサ１３１）を設けることができる。
【００４５】
前記検出手段には、所定値以上の加速度、または、前記ユーザが接近したことを、前記予備動作として検出させることができる（例えば、図６のステップＳ５１または図１０のステップＳ９１）。
【００４６】
前記電子機器には、前記予備動作を検出する検出手段（例えば、図１１の物体センサ１５１）をさらに設けることができる。
【００４７】
前記検出手段には、前記ユーザが接近したことを、前記予備動作として検出させることができる（例えば、図１２のステップＳ１１１）。
【００４８】
本発明の第１の側面の起動方法は、ユーザの操作をトリガとして、起動に必要な処理を実行する電子機器の起動方法であって、前記電子機器の起動の操作をしようとする前記ユーザの予備動作をトリガとして、前記起動に必要な処理のうちの一部である一部処理を実行し（例えば、図７のステップＳ７２乃至ステップＳ７６）、前記電子機器を起動する前記ユーザの起動操作をトリガとして、前記起動に必要な処理の残りである残処理を実行する（例えば、図７のステップＳ８０）。
【００４９】
本発明の第２の側面のリモートコントローラは、電子機器を遠隔制御するリモートコントローラであって、前記電子機器の起動を操作しようとするユーザの予備動作を検出する検出手段（例えば、図４の加速度センサ７１または図９の物体センサ１３１）と、前記電子機器を起動するときに操作される操作手段（例えば、図４の操作入力部７２）とを備え、前記電子機器は、前記予備動作をトリガとして、起動に必要な処理のうちの一部である一部処理を実行し（例えば、図７のステップＳ７２乃至ステップＳ７６）、前記ユーザによる前記電子機器を起動する前記操作手段の起動操作をトリガとして、前記起動に必要な処理の残りである残処理を実行する（例えば、図７のステップＳ８０）。
【００５０】
前記検出手段には、所定値以上の加速度、または、前記ユーザが接近したことを、前記予備動作として検出させることができる（例えば、図６のステップＳ５１または図１０のステップＳ９１）。
【００５１】
本発明の第３の側面の電子機器システムは、電子機器を遠隔制御するリモートコントローラ（例えば、図３のリモートコントローラ５１）と、前記電子機器（例えば、図３のテレビジョン受像機５２）とを備える電子機器システムであって、前記リモートコントローラ、または、前記電子機器が、前記電子機器の起動の操作をしようとするユーザの予備動作を検出する検出手段（例えば、図４の加速度センサ、または、図１１の物体センサ１５１）を有し、前記リモートコントローラが、前記電子機器を起動するときに操作される操作手段（例えば、図４の操作入力部７２）を有し、前記電子機器が、前記予備動作をトリガとして、起動に必要な処理のうちの一部である一部処理を実行する第１の実行手段（例えば、図５の電源制御部１１１乃至初期化部１１４）と、前記ユーザによる前記電子機器を起動する前記操作手段の起動操作をトリガとして、前記起動に必要な処理の残りである残処理を実行する第２の実行手段（例えば、図５の表示制御部１１５）とを有する。
【００５２】
以下、本発明の実施の形態について図を参照して説明する。
【００５３】
図３は、本発明を適用したテレビジョンシステムの一実施の形態の構成を示すブロック図である。図３のテレビジョンシステム４１においては、リモートコントローラ５１とテレビジョン受像機５２とが、例えば、赤外線などにより通信を行う。
【００５４】
図３のリモートコントローラ５１は、テレビジョン受像機５２を遠隔制御する。リモートコントローラ５１は、ユーザにより操作されたボタンに応じて、テレビジョン受像機５２を制御するためのコマンドを生成し、例えば、赤外線などにより、テレビジョン受像機５２に送信する。
【００５５】
例えば、リモートコントローラ５１は、ユーザにより操作された電源ボタンに応じて、テレビジョン受像機５２に映像の表示や音声の出力等の処理を実行させるための操作起動コマンドを生成し、テレビジョン受像機５２に送信する。
【００５６】
また、詳細は後述するが、リモートコントローラ５１は、テレビジョン受像機５２の起動の操作をしようとするユーザの動作（以下、適宜、予備動作という）を検出する検出手段を備えており、予備動作の検出に応じて、テレビジョン受像機５２に起動処理を実行させるためのコマンドである検出起動コマンドを生成し、テレビジョン受像機５２に送信する。
【００５７】
図３のテレビジョン受像機５２は、図示せぬアンテナにより放送信号を受信し、その放送信号を復号して得られる映像信号に応じた映像を、後述する表示部９６（図５）に表示させるとともに、音声信号に応じた音声を、図示せぬスピーカに出力させる。これにより、ユーザは、表示部９６の画面に表示される映像と、図示せぬスピーカから出力される音声とを視聴することができる。
【００５８】
また、テレビジョン受像機５２は、リモートコントローラ５１によって、テレビジョン受像機５２の起動を操作しようとするユーザの予備操作をトリガとして、起動に必要な処理のうちの一部（一部処理）を実行し、ユーザによるリモートコントローラ５１の電源ボタンや、テレビジョン受像機５２に設けられている図示せぬ電源スイッチの操作をトリガとして、起動に必要な処理の残り（残処理）を実行する。
【００５９】
例えば、テレビジョン受像機５２は、リモートコントローラ５１から送信されてくる検出起動コマンドを受信し、受信した検出起動コマンドに応じて、後述する電源回路９３を初期化し、テレビジョン受像機５２の各部を起動したり、後述する表示部９６を構成する表示デバイスを初期化したりし、リモートコントローラ５１から送信されてくる操作起動コマンドを受信し、受信した操作起動コマンドに応じて、表示部９６に映像を表示させたり、図示せぬスピーカに音声を出力させたりする。
【００６０】
図４は、リモートコントローラ５１の構成例を示すブロック図である。
【００６１】
図４において、リモートコントローラ５１は、加速度センサ７１、操作入力部７２、コマンド生成部７３、および送信部７４から構成される。
【００６２】
加速度センサ７１は、テレビジョン受像機５２の起動の操作をしようとするユーザの予備動作を検出する。より具体的には、加速度センサ７１は、リモートコントローラ５１がユーザに把持される等したとき、その位置の移動に伴う所定値以上の加速度を検出し、所定値以上の加速度を検出したことを示す検出信号を、コマンド生成部７３に供給する。
【００６３】
操作入力部７２は、ユーザによって、テレビジョン受像機５２を起動するときに操作される電源ボタンや、テレビジョン受像機５２が受信する放送信号のチャンネルを選択するときに操作されるチャンネル選択ボタン等の各種のボタンからなる。例えば、操作入力部７２は、電源ボタンがユーザによって操作されると、その操作に応じた操作信号を、コマンド生成部７３に供給する。
【００６４】
コマンド生成部７３は、加速度センサ７１からの検出信号に基づいた、テレビジョン受像機５２に起動処理（起動に必要な処理）を実行させるためのコマンドである検出起動コマンドを生成し、送信部７４に供給する。
【００６５】
また、コマンド生成部７３は、操作入力部７２からの操作信号に基づいた、ユーザによる電源ボタンの操作に応じた処理（表示処理や音声出力処理）をテレビジョン受像機５２に実行させるためのコマンドである操作起動コマンドを生成し、送信部７４に供給する。
【００６６】
送信部７４は、コマンド生成部７３からの検出起動コマンドまたは操作起動コマンドなどのコマンドを、テレビジョン受像機５２に送信する。
【００６７】
図５は、テレビジョン受像機５２の構成例を示すブロック図である。
【００６８】
図５において、テレビジョン受像機５２は、受信部９１、システム制御部９２、電源回路９３、マイクロコンピュータ９４、チューナ９５、および表示部９６から構成される。
【００６９】
受信部９１は、リモートコントローラ５１の送信部７４から送信されてくる検出起動コマンドまたは操作起動コマンドなどのコマンドを受信し、システム制御部９２に供給する。
【００７０】
システム制御部９２は、テレビジョン受像機５２の全体の動作を制御する。
【００７１】
システム制御部９２は、電源制御部１１１、システム起動部１１２、チャンネル選局部１１３、初期化部１１４、および表示制御部１１５を含むように構成される。
【００７２】
電源制御部１１１は、受信部９１から供給された検出起動コマンドに基づいて、電源回路９３の初期化を行い、テレビジョン受像機５２全体の通電を開始させる。
【００７３】
システム起動部１１２は、テレビジョン受像機５２全体が通電されたことに基づいて、マイクロコンピュータ９４を初期化し、起動して、マイクロコンピュータ９４に、テレビジョン受像機５２の各部を起動させる。また、システム起動部１１２は、テレビジョン受像機５２の各部を起動させてから、予め設定された一定時間が経過したとき、マイクロコンピュータ９４に、テレビジョン受像機５２の各部の動作を終了させる。
【００７４】
チャンネル選局部１１３は、前回、テレビジョン受像機５２の電源がオフにされる直前に選局されていたチャンネルを、チューナ９５に選局させる。
【００７５】
初期化部１１４は、テレビジョン受像機５２全体が通電されたことに基づいて、表示部９６を構成する表示デバイスの初期化を行う。
【００７６】
表示制御部１１５は、受信部９１から供給された操作起動コマンドに基づいて、チューナ９５によりチャンネルが選局され、図示せぬアンテナによって受信された放送信号から得られる映像信号に対応する映像を表示部９６に表示させる。
【００７７】
電源回路９３は、電源制御部１１１の制御に基づいて、初期化され、テレビジョン受像機５２全体に通電する。
【００７８】
マイクロコンピュータ９４は、システム起動部１１２の制御に基づいて、テレビジョン受像機５２の各部を起動したり、動作を終了したりする。
【００７９】
チューナ９５は、チャンネル選局部１１３の指示に基づいて、前回、テレビジョン受像機５２の電源がオフにされる直前に選局されていたチャンネルを選局する。
【００８０】
表示部９６は、例えば、LCD（Liquid Crystal Display）または有機EL（Electro Luminescence）などの表示デバイスからなり、表示制御部１１５の制御に基づいて、チューナ９５により選局され、図示せぬアンテナによって受信されたチャンネルの放送信号から得られる映像信号に対応する映像を表示する。
【００８１】
次に、図６および図７を用いて、テレビジョンシステム４１におけるテレビジョン受像機５２の起動の処理について説明する。
【００８２】
図６は、図４のリモートコントローラ５１のコマンド送信処理を説明するフローチャートである。
【００８３】
ここで、ユーザは、リモートコントローラ５１の電源ボタンを操作することで、テレビジョン受像機５２を起動させることとする。
【００８４】
ステップＳ５１において、加速度センサ７１は、ユーザによりリモートコントローラ５１が把持される等したときの、その位置の移動に伴う所定値以上の加速度を検出した否かを判定する。所定値以上の加速度を検出していないと判定された場合、所定値以上の加速度が検出されるまで、処理はステップＳ５１を繰り返す。
【００８５】
一方、所定値以上の加速度を検出したと判定された場合、加速度センサ７１は、所定値以上の加速度を検出したことを示す検出信号をコマンド生成部７３に供給し、処理はステップＳ５２に進む。
【００８６】
ステップＳ５２において、コマンド生成部７３は、加速度センサ７１からの検出信号に基づいた、テレビジョン受像機５２に起動処理を実行させるためのコマンドである検出起動コマンドを生成し、送信部７４に供給して、処理はステップＳ５３に進む。
【００８７】
ステップＳ５３において、送信部７４は、コマンド生成部７３からの検出起動コマンドをテレビジョン受像機５２に送信し、処理はステップＳ５４に進む。
【００８８】
ステップＳ５４において、操作入力部７２は、ユーザにより電源ボタンが操作されたか否かを判定する。ユーザにより電源ボタンが操作されていないと判定された場合、処理はステップＳ５１に戻り、これ以降の処理が繰り返される。
【００８９】
一方、ユーザにより電源ボタンが操作されたと判定された場合、操作入力部７２は、ユーザにより電源ボタンが操作されたことを示す操作信号をコマンド生成部７３に供給し、処理はステップＳ５５に進む。
【００９０】
ステップＳ５５において、コマンド生成部７３は、操作入力部７２からの操作信号に基づいた、テレビジョン受像機５２に映像の表示や音声の出力の処理を実行させるための操作起動コマンドを生成し、送信部７４に供給して、処理はステップＳ５６に進む。
【００９１】
ステップＳ５６において、送信部７４は、コマンド生成部７３からの操作起動コマンドをテレビジョン受像機５２に送信して、処理はステップＳ５１に戻り、これ以降の処理が繰り返される。
【００９２】
図７は、図５のテレビジョン受像機５２の起動処理を説明するフローチャートである。
【００９３】
ここで、テレビジョン受像機５２の電源はオフにされているものとする。
【００９４】
ステップＳ７１において、受信部９１は、リモートコントローラ５１の送信部７５から送信されてくる検出起動コマンドを受信したか否かを判定する。検出起動コマンドを受信していないと判定された場合、検出起動コマンドを受信するまで、処理はステップＳ７１を繰り返す。
【００９５】
一方、検出起動コマンドを受信したと判定された場合、受信部９１は、検出起動コマンドを電源制御部１１１に供給し、処理はステップＳ７２に進む。
【００９６】
ステップＳ７２において、電源制御部１１１は、受信部９１から供給された検出起動コマンドに基づいて、電源回路９３の初期化を行い、処理はステップＳ７３に進む。
【００９７】
ステップＳ７３において、電源制御部１１１は、電源回路９３に、テレビジョン受像機５２全体の通電を開始させる。処理はステップＳ７４に進む。
【００９８】
ステップＳ７４において、システム起動部１１２は、テレビジョン受像機５２全体が通電されたことに基づいて、マイクロコンピュータ９４を初期化し、起動して、マイクロコンピュータ９４に、テレビジョン受像機５２の各部を起動させ、処理はステップＳ７５に進む。
【００９９】
ステップＳ７５において、チャンネル選局部１１３は、前回、テレビジョン受像機５２の電源がオフにされる前に選局されていたチャンネルを、チューナ９５に選局させて、処理はステップＳ７６に進む。
【０１００】
ステップＳ７６において、初期化部１１４は、テレビジョン受像機５２全体が通電されたことに基づいて、表示部９６を構成する表示デバイスの初期化を行い、処理はステップＳ７７に進む。このとき、テレビジョン受像機５２は、いわゆる待機状態となる。
【０１０１】
ステップＳ７７において、受信部９１は、リモートコントローラ５１の送信部７４から送信されてくる操作起動コマンドを受信したか否かを判定する。操作起動コマンドを受信していないと判定された場合、処理はステップＳ７８に進む。
【０１０２】
ステップＳ７８において、システム起動部１１２は、ステップＳ７４においてテレビジョン受像機５２の各部が起動してから、予め設定された一定時間が経過したかを判定する。一定時間が経過していないと判定された場合、処理はステップＳ７７に戻り、これ以降の処理が繰り返される。
【０１０３】
一方、一定時間が経過したと判定された場合、処理はステップＳ７９に進み、システム起動部１１２は、マイクロコンピュータ９４に、ステップＳ７４で起動したテレビジョン受像機５２の各部の動作を終了させ、処理はステップＳ７１に戻る。このとき、電源制御部１１１の制御に基づいて、電源回路９３は、テレビジョン受像機５２全体の通電を終了する。
【０１０４】
このように、待機状態のまま一定時間が経過したときに、テレビジョン受像機５２の各部の動作を終了させるとともに、テレビジョン受像機５２全体の通電を終了することで、テレビジョン受像機５２の各部での待機電力の消費を抑制することができる。
【０１０５】
一方、ステップＳ７７において、操作起動コマンドを受信したと判定された場合、受信部９１は、操作起動コマンドを表示制御部１１５に供給し、処理はステップＳ８０に進む。
【０１０６】
ステップＳ８０において、表示制御部１１５は、受信部９１から供給された操作起動コマンドに基づいて、ステップＳ７５においてチューナ９５によりチャンネルが選局され、図示せぬアンテナによって受信された放送信号から得られた映像信号に対応する映像を表示部９６に表示させる。また、図示せぬ音声出力制御部は、放送信号から得られた音声信号に対応する音声を、図示せぬスピーカに出力させる。すなわち、このとき、テレビジョン受像機５２は、待機状態から動作状態となり、テレビジョン受像機５２の起動処理は終了する。
【０１０７】
このように、リモートコントローラ５１を操作しようとするユーザの予備動作をトリガとして、テレビジョン受像機５２は、起動処理を開始することができる。
【０１０８】
なお、ステップＳ７１において、検出起動コマンドを受信せずに、操作起動コマンドを受信した場合には、ステップＳ７２乃至ステップＳ７６の処理が実行され、ステップＳ７７をスキップして、ステップＳ８０の処理が実行される。すなわち、従来のテレビジョン受像機１１の起動処理（図２）と同様の処理が実行される。
【０１０９】
図８は、従来のテレビジョン受像機１１の起動処理（図２）および本発明のテレビジョン受像機５２の起動処理（図７）のそれぞれにおいて、ユーザが体感する起動時間である体感起動時間について説明する図である。
【０１１０】
図８中、上側には、従来のテレビジョン受像機１１の起動処理に要する時間が示されており、下側には、本発明のテレビジョン受像機５２の起動処理に要する時間が示されている。
【０１１１】
図８の上側に示されているように、従来のテレビジョン受像機１１の起動処理には、テレビジョン受像機１１の筐体に設けられている図示せぬ電源スイッチ、または、図示せぬリモートコントローラの電源ボタンがユーザにより操作されたとき（図２のステップＳ１１）から、表示部３３（図１）が、映像を表示する状態（映像表示状態）となるとき（図２のステップＳ１７）までの時間（待ち時間）を要する。
【０１１２】
ここで、ユーザの体感起動時間は、ユーザが電源スイッチまたは電源ボタンを操作したときから、表示部３３が映像表示状態となるまでの時間であり、テレビジョン受像機１１の起動処理に実際に要する時間と同じとなる。
【０１１３】
一方、図８の下側に示されているように、本発明のテレビジョン受像機５２の起動処理には、リモートコントローラ５１（図４）を操作しようとするユーザの予備動作によって、加速度センサ７１（図４）が加速度を検出したとき、すなわち、受信部９１（図５）が検出起動コマンドを受信したとき（図７のステップＳ７１）から、表示部９６（図５）が、映像表示状態となるとき（図７のステップＳ８０）までの時間（待ち時間）を要する。ここで要する時間（起動時間）は、従来のテレビジョン受像機１１の起動処理に要する時間と同一となる。
【０１１４】
ところで、ユーザの体感起動時間は、ユーザが電源スイッチまたは電源ボタンを操作したとき、すなわち、受信部９１が操作起動コマンドを受信したとき（図７のステップＳ７７）から、表示部９６が映像表示状態となるまでの時間となる。
【０１１５】
このように、ユーザの起動操作より前に、リモートコントローラ５１を操作しようとするユーザの予備動作をトリガとして起動処理が開始されるので、ユーザが感じる体感起動時間を、テレビジョン受像機５２の起動時間より短縮することができる。
【０１１６】
図９は、リモートコントローラ５１の他の構成例を示すブロック図である。
【０１１７】
図９において、リモートコントローラ５１は、物体センサ１３１、操作入力部７２、コマンド生成部７３、および送信部７４から構成される。
【０１１８】
なお、図９において、図４と対応する構成については、同一の符号を付してあり、その説明は適宜省略する。すなわち、図９においては、加速度センサ７１に代わって物体センサ１３１が備えられている以外は、基本的に図４を用いて説明した場合と同様の構成を有している。
【０１１９】
物体センサ１３１は、いわゆる電界センサであり、物体（ユーザ）がリモートコントローラ５１に接近するときの空間の比誘電率の変化を検知することで、ユーザの接近を検出し、ユーザの接近を検出したことを示す検出信号を、コマンド生成部７３に供給する。
【０１２０】
図１０は、図９で説明したリモートコントローラ５１のコマンド送信処理を説明するフローチャートである。
【０１２１】
ここで、ユーザは、リモートコントローラ５１の電源ボタンを操作することで、テレビジョン受像機５２を起動させることとする。
【０１２２】
ステップＳ９１において、物体センサ１３１は、ユーザがリモートコントローラ５１に接近するときの空間の比誘電率の変化を検知することで、ユーザの接近を検出した否かを判定する。ユーザの接近を検出していないと判定された場合、ユーザの接近が検出されるまで、処理はステップＳ９１を繰り返す。
【０１２３】
一方、ユーザの接近を検出したと判定された場合、物体センサ１３１は、物体の接近を検出したことを示す検出信号をコマンド生成部７３に供給し、処理はステップＳ９２に進む。
【０１２４】
以降、図１０におけるステップＳ９２乃至ステップＳ９６の処理のそれぞれは、図６におけるステップＳ５２乃至ステップＳ５６のそれぞれと同様であるので、その説明は省略する。
【０１２５】
このように、リモートコントローラ５１において、テレビジョン受像機５２の起動の操作をしようとするユーザの予備動作を検出する検出手段として、図４の加速度センサ７１に代えて物体センサ１３１を適用することができる。
【０１２６】
テレビジョン受像機５２の起動の操作をしようとするユーザの予備動作を検出する際、リモートコントローラ５１において、加速度センサ７１を備えた場合には、ユーザが把持する等して、その位置を移動させる必要があったが、物体センサ１３１を備えた場合には、ユーザがリモートコントローラ５１に接近するだけよいので、リモートコントローラ５１は、より迅速に、テレビジョン受像機５２の起動のトリガを発生することができる。
【０１２７】
また、物体センサ１３１を備えたリモートコントローラ５１が、例えば、人の出入りの多い場所に置かれる場合には、起動操作を行うか否かに関わらず、ユーザの動作（接近）を検出してしまうおそれがあるので、加速度センサ７１を備えたリモートコントローラ５１を適用するようにしてもよい。
【０１２８】
図１１は、テレビジョン受像機５２の他の構成例を示すブロック図である。
【０１２９】
図１１において、テレビジョン受像機５２は、受信部９１、システム制御部９２、電源回路９３、マイクロコンピュータ９４、チューナ９５、表示部９６、および物体センサ１５１から構成される。また、システム制御部９２は、システム起動部１１２、チャンネル選局部１１３、初期化部１１４、表示制御部１１５、および電源制御部１５２を含むように構成される。
【０１３０】
なお、図１１において、図５と対応する構成については、同一の符号を付してあり、その説明は適宜省略する。すなわち、図９においては、物体センサ１５１が新たに追加されたことと、電源制御部１１１に代わって電源制御部１５２が備えられている以外は、基本的に図５を用いて説明した場合と同様の構成を有している。
【０１３１】
物体センサ１５１は、いわゆる電界センサであり、物体（ユーザ）がテレビジョン受像機５２に接近するときの空間の比誘電率の変化を検知することで、ユーザの接近を検出し、ユーザの接近を検出したことを示す検出信号を、電源制御部１５２に供給する。
【０１３２】
電源制御部１５２は、受信部９１から供給された検出起動コマンド、または、物体センサ１５１からの検出信号に基づいて、電源回路９３の初期化を行い、テレビジョン受像機５２全体の通電を開始させる。
【０１３３】
また、図１１のテレビジョン受像機５２には、図示せぬ電源スイッチが設けられており、図示せぬ電源スイッチは、ユーザによって操作されると、操作起動コマンドを生成し、表示制御部１１５に供給する。
【０１３４】
図１２は、図１１で説明したテレビジョン受像機５２の起動処理を説明するフローチャートである。
【０１３５】
ここで、テレビジョン受像機５２の電源はオフにされているものとし、ユーザは、テレビジョン受像機５２の図示せぬ電源スイッチを操作することで、テレビジョン受像機５２を起動させることとする。
【０１３６】
ステップＳ１１１において、物体センサ１５１は、ユーザがテレビジョン受像機５２に接近するときの空間の比誘電率の変化を検知することで、ユーザの接近を検出した否かを判定する。ユーザの接近を検出していないと判定された場合、ユーザの接近が検出されるまで、処理はステップＳ１１１を繰り返す。
【０１３７】
一方、ユーザの接近を検出したと判定された場合、物体センサ１５１は、ユーザの接近を検出したことを示す検出信号を電源制御部１５２に供給し、処理はステップＳ１１２に進む。
【０１３８】
ステップＳ１１２において、電源制御部１５２は、物体センサ１５１からの検出信号に基づいて、電源回路９３の初期化を行い、処理はステップＳ１１３に進む。
【０１３９】
以降、図１２におけるステップＳ１１３乃至ステップＳ１１６の処理のそれぞれは、図７におけるステップＳ７３乃至ステップＳ７６のそれぞれと同様であるので、その説明は省略する。
【０１４０】
ステップＳ１１７において、図示せぬ電源スイッチが操作されたか否かを判定する。図示せぬ電源スイッチが操作されていないと判定された場合、処理はステップＳ１１８に進む。
【０１４１】
図１２におけるステップＳ１１８およびステップＳ１１９の処理のそれぞれは、図７におけるステップＳ７８およびステップＳ７９のそれぞれと同様であるので、その説明は省略する。
【０１４２】
一方、ステップＳ１１７において、図示せぬ電源スイッチが操作されたと判定された場合、図示せぬ電源スイッチは、操作起動コマンドを生成して表示制御部１１５に供給し、処理はステップＳ８０に進む。
【０１４３】
図１２におけるステップＳ１２０の処理のそれぞれは、図７におけるステップＳ８０と同様であるので、その説明は省略する。
【０１４４】
このように、ユーザの接近を検出する物体センサ１５１を、テレビジョン受像機５２に設けるようにすることにより、ユーザの起動操作より前に、テレビジョン受像機５２を操作しようとするユーザの予備動作をトリガとして起動処理が開始されるので、ユーザが感じる体感起動時間を、テレビジョン受像機５２の起動時間より短縮することができる。
【０１４５】
なお、ステップＳ１１１において、ユーザの接近が検出されずに、図示せぬ電源スイッチが操作されたか、または、リモートコントローラ５１から操作起動コマンドが送信されてきた場合には、ステップＳ１１２乃至ステップＳ１１６の処理が実行され、ステップＳ１１７をスキップして、ステップＳ１２０の処理が実行される。すなわち、従来のテレビジョン受像機１１の起動処理（図２）と同様の処理が実行される。
【０１４６】
また、上述した説明において、物体センサ１３１および物体センサ１５１には、電界センサを適用したが、これに限らず、例えば、赤外線光など光を利用した赤外線センサ、マイクロ波を利用したマイクロ波センサ、超音波を利用した超音波センサ、磁界を利用した接近センサなど、非接触で物体の有無や状態を検出するセンサを適用することができる。
【０１４７】
以上のように、テレビジョン受像機５２では、テレビジョン受像機５２の起動の操作をしようとするユーザの予備動作をトリガとして、起動に必要な処理のうちの一部である一部処理を実行し、テレビジョン受像機５２を起動するユーザの起動操作をトリガとして、起動に必要な処理の残りである残処理を実行するので、ユーザの起動操作より前に、リモートコントローラ５１を操作しようとするユーザの予備動作によって起動処理が開始されて、ユーザが感じる体感起動時間を、テレビジョン受像機５２の起動時間より短縮することができる。
【０１４８】
また、テレビジョンシステム４１では、リモートコントローラ５１、または、テレビジョン受像機５２が、テレビジョン受像機５２の起動の操作をしようとするユーザの予備動作を検出し、リモートコントローラ５１が、テレビジョン受像機５２を起動するときに操作され、テレビジョン受像機５２が、予備動作をトリガとして、起動に必要な処理のうちの一部である一部処理を実行し、ユーザによるテレビジョン受像機５２を起動する起動操作をトリガとして、起動に必要な処理の残りである残処理を実行するので、ユーザの起動処理より前に、リモートコントローラ５１を操作しようとするユーザの予備動作によって起動処理が開始されて、ユーザが感じる体感起動時間を、テレビジョン受像機５２の起動時間より短縮することができる。
【０１４９】
以上においては、本発明をリモートコントローラ５１とテレビジョン受像機５２とからなるテレビジョンシステム４１に適用した実施の形態について説明したが、本発明は、電子機器を遠隔制御するリモートコントローラと、電子機器とからなる電子機器システムに適用することができる。
【０１５０】
上述したテレビジョン受像機５２における起動処理などの一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【０１５１】
図１３は、上述した一連の処理をプログラムにより実行するコンピュータのハードウェアの構成例を示すブロック図である。
【０１５２】
コンピュータにおいて、CPU（Central Processing Unit）２０１，ROM（Read Only Memory）２０２，RAM（Random Access Memory）２０３は、バス２０４により相互に接続されている。
【０１５３】
バス２０４には、さらに、入出力インターフェース２０５が接続されている。入出力インターフェース２０５には、キーボード、マウス、マイクロホン、および電源スイッチなどよりなる入力部２０６、図５の表示部９６に対応するディスプレイ、スピーカなどよりなる出力部２０７、ハードディスクや不揮発性のメモリなどよりなる記憶部２０８、図５の受信部９１に対応する通信部２０９、磁気ディスク、光ディスク、光磁気ディスク、或いは半導体メモリなどのリムーバブルメディア２１１を駆動するドライブ２１０が接続されている。
【０１５４】
以上のように構成されるコンピュータでは、CPU２０１が、例えば、記憶部２０８に記憶されているプログラムを、入出力インターフェース２０５およびバス２０４を介して、RAM２０３にロードして実行することにより、上述した一連の処理が行われる。
【０１５５】
コンピュータ（CPU２０１）が実行するプログラムは、例えば、磁気ディスク（フレキシブルディスクを含む）、光ディスク（CD-ROM(Compact Disc-Read Only Memory),DVD(Digital Versatile Disc)など）、光磁気ディスク、もしくは半導体メモリなどよりなるパッケージメディアであるリムーバブルメディア２１１に記録して、あるいは、ローカルエリアネットワーク、インターネット、デジタル衛星放送といった、有線または無線の伝送媒体を介して提供される。
【０１５６】
そして、プログラムは、リムーバブルメディア２１１をドライブ２１０に装着することにより、入出力インターフェース２０５を介して、記憶部２０８にインストールすることができる。また、プログラムは、有線または無線の伝送媒体を介して、通信部２０９で受信し、記憶部２０８にインストールすることができる。その他、プログラムは、ROM２０２や記憶部２０８に、あらかじめインストールしておくことができる。
【０１５７】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１５８】
また、本発明の実施の形態は、上述した実施の形態に限定されるものではなく、本発明の要旨を逸脱しない範囲において種々の変更が可能である。
【図面の簡単な説明】
【０１５９】
【図１】従来のテレビジョン受像機の構成例を示すブロック図である。
【図２】図１のテレビジョン受像機の起動処理を説明するフローチャートである。
【図３】本発明を適用したテレビジョンシステムの一実施の形態の構成を示すブロック図である。
【図４】リモートコントローラの構成例を示すブロック図である。
【図５】テレビジョン受像機の構成例を示すブロック図である。
【図６】図４のリモートコントローラのコマンド送信処理を説明するフローチャートである。
【図７】図５のテレビジョン受像機の起動処理を説明するフローチャートである。
【図８】ユーザが体感する体感起動時間について説明する図である。
【図９】リモートコントローラの他の構成例を示すブロック図である。
【図１０】図９のリモートコントローラのコマンド送信処理を説明するフローチャートである。
【図１１】テレビジョン受像機の他の構成例を示すブロック図である。
【図１２】図１１のテレビジョン受像機の起動処理を説明するフローチャートである。
【図１３】本発明が適用される情報処理装置として機能するコンピュータのハードウェアの構成例を示すブロック図である。
【符号の説明】
【０１６０】
４１  テレビジョンシステム，  ５１  リモートコントローラ，  ５２  テレビジョン受像機，  ７１  加速度センサ，  ７２  操作入力部，  ７３  コマンド生成部，  ７４  送信部，  ９１  受信部，  ９２  システム制御部，  ９３  電源回路，  ９４  マイクロコンピュータ，  ９５  チューナ，  ９６  表示部，  １１１  電源制御部，  １１２  システム起動部，  １１３  チャンネル選局部，  １１４  初期化部，  １１５  表示制御部，  １３１  物体センサ，  １５１  物体センサ，  １５２  電源制御部，  ２０１  CPU，  ２０２  ROM，  ２０３  RAM，  ２０６  入力部，  ２０７  出力部，  ２０８  記憶部，  ２０９  通信部，  ２１１  リムーバブルメディア
【図１】
2009094840.tif 000003
【図２】
2009094840.tif 000004
【図３】
2009094840.tif 000005
【図４】
2009094840.tif 000006
【図５】
2009094840.tif 000007
【図６】
2009094840.tif 000008
【図７】
2009094840.tif 000009
【図８】
2009094840.tif 000010
【図９】
2009094840.tif 000011
【図１０】
2009094840.tif 000012
【図１１】
2009094840.tif 000013
【図１２】
2009094840.tif 000014
【図１３】
2009094840.tif 000015